(57)【特許請求の範囲】
【請求項１】
窓を有する建物の外壁に、中空の上材、中材、下材及び左右の縦材を有する下地部材を取付け、該下地部材にシャッタースラットを巻き上げ下げする電動式の巻取部を収容したシャッターボックスと、シャッタースラットの両側部を昇降自在に案内するガイドレールとを有するシャッター枠を取付け、上記下地部材の縦材は仕切り壁を介して内側と外側に中空部を有する構造とされ、その外側中空部を外側溝部と溝蓋により構成し、その外側溝部内に上記巻取部の電動部から外部電源に接続するための電気配線を配線すると共に、上記溝蓋に上記電気配線を外部に引き出すための出口穴を開設したことを特徴とするシャッター。
【請求項２】
上記外壁に上枠、下枠及び左右の縦枠からなるサッシ枠を設け、そのサッシ枠の上枠の上部の外壁に、上記下地部材の中材を引っ掛けて位置決めするためのＬ字状のフックを左右に配置し、上記シャッター枠の中枠に上記フックの先端部に引っ掛けられる被係止部を形成したことを特徴とする請求項１記載のシャッター。
【発明の詳細な説明】
【技術分野】
【０００１】
本発明は、シャッターに係り、特に建物の外壁に下地部材を取付けて設置される後付けタイプの電動式シャッターの外部電気配線構造に関するものである。
【背景技術】
【０００２】
シャッターとしては、窓を有する建物の外壁に、下地部材を取付け、該下地部材にシャッタースラットを巻き上げ下げする電動式の巻取部を収容したシャッターボックスと、シャッタースラットの両側部を昇降自在に案内するガイドレールとを有するシャッター枠を取付けるようにした主にリフォーム用としての後付けタイプのシャッターがある。上記下地部材は、外壁が例えば金属製外皮の内部に発泡ウレタン樹脂を充填した金属サイディングである場合のように、外壁が柔らかくてシャッターを取付けにくい場合などに使用される。
【０００３】
特に、電動式のシャッターの場合、上記巻取部の電動部に接続されている電気配線を電源に接続する場合、例えば内部電源（屋内電源コンセント）に接続する場合には、壁に穴を開けて電気配線を屋内に引き込む必要があり、外部電源（屋外電源コンセント）に接続する場合にはシャッター枠又は下地部材に穴を開けて電気配線を屋外に引き出す必要がある。
【０００４】
なお、関連する技術としては、下地枠を用いるリフォーム用のシャッター（特許文献１参照）が知られている。
【０００５】
【特許文献１】特開２０００−１５４６８６
【発明の開示】
【発明が解決しようとする課題】
【０００６】
しかしながら、上述した従来のシャッターにおいては、電気配線を外部電源に接続する場合、例えばシャッター枠又は下地部材の側面上部に開けた穴から電気配線を引き出し、該電気配線を外部電源まで引き回す必要がある。この場合、水密性を確保するために、側面上部の穴に配線ボックスを介して蛇腹ホースを接続し、該蛇腹ホースを外部電源まで長く引き回す必要があることから、見栄えないし意匠性が悪くなるという問題があった。
【０００７】
本発明は、上記事情を考慮してなされたものであり、電気配線ないし蛇腹ホースを室外に引き回す長さを短縮することができ、意匠性の向上が図れるシャッターを提供することを目的とする。
【課題を解決するための手段】
【０００８】
上記目的を達成するために本発明は、窓を有する建物の外壁に、中空の上材、中材、下材及び左右の縦材を有する下地部材を取付け、該下地部材にシャッタースラットを巻き上げ下げする電動式の巻取部を収容したシャッターボックスと、シャッタースラットの両側部を昇降自在に案内するガイドレールとを有するシャッター枠を取付け、上記下地部材の縦材は仕切り壁を介して内側と外側に中空部を有する構造とされ、その外側中空部を外側溝部と溝蓋により構成し、その外側溝部内に上記巻取部の電動部から外部電源に接続するための電気配線を配線すると共に、上記溝蓋に上記電気配線を外部に引き出すための出口穴を開設したことを特徴とする。
上記外壁に上枠、下枠及び左右の縦枠からなるサッシ枠を設け、そのサッシ枠の上枠の上部の外壁に、上記下地部材の中材を引っ掛けて位置決めするためのＬ字状のフックを左右に配置し、上記シャッター枠の中枠に上記フックの先端部に引っ掛けられる被係止部を形成していることが好ましい。
【発明の効果】
【０００９】
本発明によれば、電気配線ないし蛇腹ホースの室外に引き回す長さを短縮することができると共に、水平方向から垂直方向下方へ折り曲げて挿通配線するときの施工性の向上が図れる。
【発明を実施するための最良の形態】
【００１０】
以下に、本発明を実施するための最良の形態について、添付図面を基に詳述する。図１は本発明の実施の形態であるシャッターを概略的に示す斜視図、図２は同シャッターの取付構造を示す縦断面図、図３は同横断面図、図４は下地部材の概略的斜視図、図５はシャッター枠の概略的斜視図である。
【００１１】
これらの図において、１は窓例えば窓サッシ２を有する建物の外壁３に下地部材４を介して設置されるリフォームに適した壁付けタイプの電動式シャッターである。このシャッター１は、上記外壁３に取付けられる中空の縦材４ｄ、４ｄを左右に有する下地部材４と、該下地部材４に取付けられるシャッター枠５とを備えている。シャッター枠５は、シャッタースラット（シャッターカーテンともいう）６を巻き上げ下げする電動式の巻取部７を収容したシャッターボックス８と、シャッタースラット６の両側部を昇降自在に案内する左右一対のガイドレール９，９とを有している。
【００１２】
上記窓サッシ２は、建物の開口部１０に設けられるアルミ形材製の上枠１１ａ、下枠１ｂ及び左右の縦枠１１ｃ，１１ｃからなるサッシ枠１１と、該サッシ枠１１内に引違いにスライド開閉自在に設けられた内外の障子１２ａ，１２ｂとから主に構成されている。サッシ枠１１の上枠１１ａ上部の外壁３にはＬ字状のフック１３が設けられ、該フック１３に下地部材４の中材４ｂ及びシャッター枠５の中枠５ｂが位置決め及び保持されるようになっている。フック１３は上枠１１ａの上面に接する状態で複数例えば左右に２個配置され、外壁３に固着具例えばネジ１４で固定される。
【００１３】
上記外壁３は建物の躯体１５の室外面に取付けられた外壁材（サイディング）からなっている。上記下地部材４は、図４にも示すように断面方形で中空のアルミ形材製の上材４ａ、中材（マグサともいう）４ｂ、下材（水切りともいう）４ｃ及び左右の縦材４ｄ，４ｄからなり、両縦材４ｄ，４ｄ間に上材４ａ、中材４ｂ及び下材４ｃを掛け渡してネジで枠状に組み立てて構成されている。下地部材４の構成材のうち、中材４ｂを除く、上材４ａ、下材４ｃ及び左右の縦材４ｄ，４ｄは、図２、図３ないし図７に示すように仕切り壁１６を介して内側（内周側）と外側（外周側）に２層の中空部１７ａ，１７ｂを有する構造とされている。
【００１４】
この下地部材４は外壁３の外面（前面）に当接され（その際に上記フック１３に中材４ｂを引っ掛けて位置決め保持され）、外壁３から躯体１５にかけて捩じ込まれる固着具例えばネジ１８により固定されている。この場合、下地部材４の各構成材４ａ〜４ｄには、その背面部をネジ止めするために、前面部にはネジ頭部が通る大径孔部が形成され、背面部にはネジ頭部が通らない小径孔部が形成されている（図２及び図４には図示省略）。下地部材４の中材４ｂを除く各構成材４ａ，４ｃ，４ｄは、内側中空部１７ａ側がネジ１８で外壁３に固定されている。縦材４ｄの上下両端部には合成樹脂製の端部キャップ２０が装着されている。
【００１５】
上記シャッター枠５は、アルミ形材製の上枠（天板ともいう）５ａ、中枠（マグサともいう）５ｂ、下枠（水切りともいう）５ｃ及び左右の縦枠５ｄ，５ｄからなり、下地部材４と同様、両縦枠５ｄ，５ｄ間に上枠５ａ、中枠５ｂ及び下枠５ｃを掛け渡してネジで枠状に組み立てて構成されている。少なくとも中枠５ｂ及び下枠５ｃは、剛性を高めるために中空構造とされていることが好ましい。特に、シャッター１は、シャッター枠５の中枠５ｂ部分を持って（担いで）運搬されるため、中枠５ｂが持ちやすく且つ高強度となるように中空断面形状とされていることが好ましい。
【００１６】
シャッター枠５の四周及び中枠５ｂにはこれを上記下地部材４に対してネジ１９で取付固定するための取付片５ｘ、５ｙが形成されている。この場合、下地部材４の前面部にネジ１９が捩じ込まれる。特に、上材４ａ及び下材４ｃにおいては、外側中空部１７ｂ側にネジ１９が捩じ込まれ（図２参照）、左右の縦材４ｄにおいては、図３、図７ないし図８に示すように内側中空部１７ａ側にネジ１９が捩じ込まれる。
【００１７】
シャッター枠５の四周の取付片５ｘを下地部材４に固定するネジ１９の頭部が露出しないように覆い隠すために、各取付片５ｘに沿って長尺のネジ隠しカバー２１が上記ネジ１９で共締めされたネジ隠しカバー受け２２に対して着脱可能に取付けられている。ネジ隠しカバー２１及びネジ隠しカバー受け２２は例えばアルミ形材製であり、ネジ隠しカバー受け２２は短尺に形成されたものが適宜複数個ずつ配設される。
【００１８】
上記下地部材４の下材４ｃにはシャッター枠５の下部を乗せて位置決めするための突条部２３が形成されている。また、シャッター枠５の中枠５ｂには上記フック１３の先端部に引っ掛けられる被掛止部２４が形成されており、これによりサッシ枠５を位置決め及び掛止でき、施工性の向上が図られている。
【００１９】
上記シャッターボックス８は、上枠（天板）５ａ、中枠５ｂ及び左右の縦枠５ｄ，５ｄからなる枠部８ａと、該枠部８ａの前面を覆うように設けられた前面カバー８ｂと、該前面カバー８ｂの左右両側面を覆うように設けられた側面カバー８ｃ，８ｃと、枠部８ａの背面を覆うように設けられた背板８ｄとによって主に構成されている。上記ガイドレール９はアルミ形材製であり、上記シャッター枠５の縦枠５ｄの前面部にねじ止め等により着脱可能に取付けられている。シャッター枠５の下枠５ｃの前部にはシャッタースラット６の先端の端板部であるエンドスラット６ａの下部を収容可能な溝部２５が形成されている。
【００２０】
上記巻取部７は、シャッタースラット６を巻き上げ下げ可能に巻取る巻取りシャフト７ａと、該巻取りシャフト７ａを回転駆動する駆動部としての電動モータ７ｂとを備えている。本実施の形態では、巻取りシャフト７ａの内部に電動モータ７ｂを組み込んでなるタイプの巻取部７が例示されているが、これに限定されるものではない。
【００２１】
上記巻取部７の電動部である電動モータ（又はその図示しない制御部）７ｂから電源に接続するための電気配線（電源線及びアース線を含む）２７が引き出されている。該電気配線２７は内部電源又は外部電源に接続可能であるが、特に外部電源２８に接続するために、上記下地部材４の縦材４ｄの内部（中空部）に通して配線されている。
【００２２】
図１には下地部材４の縦材４ｄの上端側の途中から中空部に電気配線２７を通して下端から引き出し、外部電源２８に接続する状況が概略的に示されているが、電気配線２７を外部に引き出す場合には、図３、図８ないし図９に示すように防水性ないし水密性を確保するために、縦材４ｄの下部側面に開設（穿設）した出口穴３０に配線ボックス（配線スタートボックスともいう）３１を介して蛇腹ホース３２を接続するようにしても良い。
【００２３】
上記一方（電動モータ側）の縦材４ｄの上端側の内側面には電気配線２７を縦材４ｄの中空部（外側中空部）１７ｂに引き入れるための入口穴２９が形成され、縦材４ｄの下端側の外側面には電気配線２７を外部に引き出すための出口穴３０が形成されている（図４参照）。特に、縦材４ｄの外側中空部１７ｂは、縦材４ｄの外側面側が開口した外側溝部３３と、該外側溝部３３の開口面を覆うべく着脱可能に設けられた例えばアルミ形材製の溝蓋３４とにより構成されている。
【００２４】
上記溝蓋３４には外側溝部３３の開口縁部に自らの弾発力により嵌合（係合）する一対の嵌合片３４ａが突設されている。この溝蓋３４に上記出口穴３０が開設されており、この溝蓋３４にはその出口穴３０に合わせて上記配線ボックス３１がネジ３５で水密に取付けられている。配線ボックス３１は、合成樹脂製であり、その一側に出口穴３０と接続される配線導入口３６を有しており、下部には電気配線２７を外部へ導出する配線導出口３７が形成されていると共に該配線導出口３７には導出された電気配線２７を覆う蛇腹ホース３２が接続されている。
【００２５】
電気配線２７を配線する場合には、先ず上記溝蓋３４を取外した状態で縦材４ｄの入口穴２９から電気配線２７を外部に引き出し、次にその電気配線２７を外側溝部３３内に沿って上方から下方へ配線し、次に溝蓋３４の出口穴３０から引き出した後、その溝蓋３４を外側溝部３３に取付ければよい。溝蓋３４に配線ボックス３１が取付けられている場合には、電気配線２７を溝蓋３４の出口穴３０から配線導入口３６を経て配線ボックス３１内に導入しつつ配線導出口３７から蛇腹ホース３２内に沿って導出すればよい。
【００２６】
特に、電気配線２７を縦材４ｄの内側面及び仕切壁１６に開けた入口穴２９から狭い外側中空部１７ｂ内に挿通配線する場合、電気配線２７を水平方向から垂直方向下方へ折り曲げて挿通配線する必要があり、配線作業に困難を伴うが、本実施の形態では縦材４ｄの外側中空部１７ｂを外側溝部３３と溝蓋３４により構成してあるため、溝蓋３４を取外すことにより電気配線２７を水平方向から垂直方向下方に折り曲げて外側溝部３３内に容易に配線することができ、施工性の向上が図れる。
【００２７】
上記シャッター１は、シャッタースラット６の巻き上げ（上昇、シャッター開）、巻き下げ（下降、シャッター閉）又は停止を行うべく電動部である電動モータ７ｂを操作する無線式又は有線式のスイッチを備えている。上記実施の形態では無線式のスイッチ（図示省略）を使用するタイプのシャッターが示されており、このシャッターの場合、後述する有線式スイッチのような配線作業を必要としないので、配線構造及び施工の簡素化が図れる。
【００２８】
一方、有線式のスイッチ例えば室内壁スイッチ３８を使用するタイプのシャッターにおいては、図１０に示すような構成が採用される。図１０は室内壁スイッチを取付ける場合の取付構造を概略的に示す断面図である。図１０において、図８と同一部分は同一符号を付して説明を省略する。本実施の形態のシャッターにおいては、電動モータ（又はその図示しない制御部）７ｂから電気配線２７と共にスイッチ線（信号ケーブル）３９が引き出されており、このスイッチ線３９は電気配線２７と共に下地部材４の縦材４ｄの中空部である外側中空部１７ｂを通って第１の配線ボックス（配線スタートボックスともいう）３１内まで導かれている。
【００２９】
室内壁スイッチ３８は室内の壁部４２に設けられている。上記スイッチ線３９を防水しつつ室内壁スイッチ３８まで導いて室内壁スイッチ３８に接続するために、第１の配線ボックス（配線スタートボックス）３１には接続管４０を介して第２の配線ボックス４１が接続されており、第２の配線ボックス４１の背面部は外壁３にシーリング材４４を介して水密に密着されている。第１の配線ボックス３１内から接続管４０内を通って第２の配線ボックス４１内に導かれたスイッチ線３９は、第２の配線ボックス４１の背面部の略中央部に開けた図示しない穴及び外壁３を含む壁に開けた穴４３を通って室内壁スイッチ３８まで導かれて室内壁スイッチ３８に電気的に接続されている。
【００３０】
以上の構成からなるシャッター１によれば、窓例えば窓サッシ２を有する建物の外壁に、中空の縦材４ｄを左右に有する下地部材４を取付け、該下地部材４にシャッタースラット６を巻き上げ下げする電動式の巻取部７を収容したシャッターボックス６と、シャッタースラット６の両側部を昇降自在に案内するガイドレール９とを有するシャッター枠５を取付け、上記巻取部７の電動部（電動モータ）７ｂから外部電源２８に接続するための電気配線２７を上記下地部材４の縦材内部に通して配線したので、電気配線２７ないし蛇腹ホース３２を室外に引き回す長さを短縮することができ、意匠性の向上が図れる。
【００３１】
この場合、上記縦材４ｄの外側中空部１７ｂを外側溝部３３と溝蓋３４により構成してあるため、溝蓋３４を取外すことにより電気配線２７を水平方向から垂直方向下方に曲げて外側溝部３３内に容易に配線することができ、配線後に溝蓋３４を取付ければ良く、施工性の向上が図れる。
【００３２】
また、上記シャッター１においては、サッシ枠１１の上枠１１ａの上部にＬ字状のフック１３を左右に配設し、該フック１３上に下地部材４の中材４ｂを引っ掛けて位置決め保持するようにしたので、下地部材４を外壁３に容易に取付けることができ、施工性の向上が図れる。しかも、上記フック１３の先端部にシャッター枠５の中枠５ｂを引っ掛けて位置決め保持するようにしたので、シャッター枠５を下地部材４に容易に取付けることができ、施工性の向上が図れる。
【００３３】
すなわち、従来のシャッターの場合、下地部材に対してシャッター枠を位置決めするには下地部材の下材に突設された突条部にシャッター枠を乗せて位置決めするしかなく、シャッター枠の取付け時にシャッター枠が前方へ倒れる恐れがあったが、上記フック１３の先端部にシャッター枠５の中枠５ｂを引っ掛けて位置決め保持することができるため、シャッター枠の取付け作業を手際よく安全に行うことができ、施工性の向上が図れる。
【００３４】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。
【図面の簡単な説明】
【００３５】
【図１】本発明の実施の形態であるシャッターを概略的に示す斜視図である。
【図２】同シャッターの取付構造を示す縦断面図である。
【図３】同横断面図である。
【図４】下地部材の概略的斜視図である。
【図５】シャッター枠の概略的斜視図である。
【図６】サッシ上枠上部における下地部材及びシャッター枠の取付構造を概略的に示す断面図である。
【図７】下地部材の縦材にシャッター枠の縦枠を取付ける構造を示す分解断面図である。
【図８】下地部材の縦材に配線ボックスを取付ける構造を示す断面図である。
【図９】同配線ボックスの取付構造を概略的に示す室外側正面図である。
【図１０】室内壁スイッチを取付ける場合の取付構造を概略的に示す断面図である。
【符号の説明】
【００３６】
１  シャッター
２  窓サッシ（窓）
３  外壁
４  下地部材
４ｄ  縦材
５  シャッター枠
６  シャッタースラット
７  巻取部
８  シャッターボックス
９  ガイドレール
１７ｂ  外側中空部（縦材内部）
７ｂ  電動モータ（電動部）
２７  電気配線
２８  外部電源
【図１】
0005122069.tif 000002
【図２】
0005122069.tif 000003
【図３】
0005122069.tif 000004
【図４】
0005122069.tif 000005
【図５】
0005122069.tif 000006
【図６】
0005122069.tif 000007
【図７】
0005122069.tif 000008
【図８】
0005122069.tif 000009
【図９】
0005122069.tif 000010
【図１０】
0005122069.tif 000011